(57)【要約】【課題】持ち運びにも優れ、容易に広告シート自体を交換することができ、壁面が無くとも簡単に設置できる可搬式広告パネルを提供する。【解決手段】筒状の収納ボックスに収納され巻取方向に回転するように付勢されている巻取軸と、該巻取軸に巻回される撓曲自在の巻回シートと、その終端縁部近傍の係着部が該巻回シートの先端縁部近傍の係着部に着脱自在に雌雄一対の面ファスナーを介して係着される撓曲自在の広告シートと、該広告シートの先端縁部に取着される先端バーと、該収納ボックスおよび該先端バー間に掛架する掛架バーと、からなり、広告シートの交換時以外は巻回シートおよび広告シートの間で該係着部が常に挟持される構成とした。【選択図】図１
0003174100.tif 000002
【実用新案登録請求の範囲】
【請求項１】
巻取方向に回転するように付勢されている巻取軸と、該巻取軸に巻回される撓曲自在の巻回シートと、その終端縁部近傍の係着部に該巻回シートの先端縁部近傍の係着部が着脱自在に係着具を介して係着される撓曲自在の広告シートと、該広告シートの先端縁部に取着され該広告シートを幅方向に緊張させる先端バーと、該巻取軸を収納する筒状の収納ボックスと、からなり、
床に対面する該収納ボックスの底部には出没自在の自立用脚が取着され、該広告シートの展示時には引き出された該先端バーおよび該収納ボックス間に該広告シートを展示される位置で支持する掛架バーが掛架される、ことを特徴とする可搬式広告パネル。
【請求項２】
前記係着具は雌雄一対の面ファスナーであって、前記広告シートおよび前記巻回シートの係着部は前記広告シートの着脱時以外において前記巻取軸に巻回されて前記巻回シートおよび該広告シートの間で挟持される、ことを特徴とする請求項１に記載の可搬式広告パネル。
【考案の詳細な説明】
【技術分野】
【０００１】
本考案は、屋外や屋内でおこなわれるイベントに使用される可搬式の広告パネルに関する。
【背景技術】
【０００２】
屋外や屋内で開催されるイベントでは、展示物や出展者の説明のために広告パネルを掲示することがよく行われている。この広告パネルの掲示は、壁面に貼って表示することが多いが、屋外などのように適当な壁面がない場合や屋内であっても壁面に余分なスペースのない場合がある。
【０００３】
一方、屋外のイベントでは、広告宣伝などのため、通行人などに見やすいように設置された縦長の幟旗を街中や郊外で多数見ることができるが、風により幟旗がはためいてまくれ上がって、旗面に書いてある広告内容を見ることができないことも多い。
【０００４】
このような幟旗の有する課題を解決するための発明が特開２００５−２８４２００号公報に開示されている。特開２００５−２８４２００号公報に開示の発明は、「屋外に立てた幟旗が、風にはためいてまくれ上がり立て旗竿に巻き付いて、広告宣伝の役をなさず、不格好になるのを防止する」ことを課題としていて、この課題解決の手段を「幟旗の最下部の旗乳に重りを取り付けて旗のまくれ上がりを防止する手段において、重りは鉛の薄板とし、この鉛の薄板である重りを最下部の旗乳にホチキスでホチキス針を打ち込んで綴り付けた。また、重りは二つ折りの鉛の薄板とし、この二つ折りの鉛の薄板である重りを旗乳に挟みつけ、ホチキスで綴り付ける」こととしている。
【先行技術文献】
【特許文献】
【０００５】
【特許文献１】特開２００５−２８４２００号公報
【考案の概要】
【考案が解決しようとする課題】
【０００６】
しかしながら、多くの場合、幟旗の情報量は広告パネルの情報量に比べ少なく、来場者や通行人に展示物の内容が充分に伝わらないことがあり、さらに、幟旗自体が縦長の形状ということからデザイン上の制約があるため、広告パネルに拘る出展者も多い。
【０００７】
そこで、本考案は、広告パネルと同様の機能を有するシート状の広告パネルであって、持ち運びにも優れ、容易に広告シートを交換することができ、壁面が無くとも簡単に設置できる可搬式広告パネルを提供することを目的とする。
【課題を解決するための手段】
【０００８】
上記目的を達成するため、請求項１に係る可搬式広告パネルは、巻取方向に回転するように付勢されている巻取軸と、該巻取軸に巻回される撓曲自在の巻回シートと、その終端縁部近傍の係着部に該巻回シートの先端縁部近傍の係着部が着脱自在に係着具を介して係着される撓曲自在の広告シートと、該広告シートの先端縁部に取着され該広告シートを幅方向に緊張させる先端バーと、該巻取軸を収納する筒状の収納ボックスと、からなり、床に対面する該収納ボックスの底部には出没自在の自立用脚が取着され、該広告シートの展示時には引き出された該先端バーおよび該収納ボックス間に該広告シートを展示される位置で支持する掛架バーが掛架される、ことを特徴としている。
なお、撓曲自在のシートとは可撓性が良好で巻取軸に折れ曲がることなく巻取することができるシートであって、このシートには柔軟性に優れたポリ塩化ビニル（polyvinyl chloride）製、ポリプロピレン（polypropylene）製、 ポリエステル（polyester）製等があり、不織布や織布であっても良い。また、係着具には雌雄一対の面ファスナー以外に線ファスナー、ボタンとボタンホール、フックとホック等がある。そして、広告シートが展示される位置とは、来場者や通行人に対して広告シートが広告の機能を発揮する位置、すなわち、広告内容のすべてが可視し得る位置をいう。
また、請求項２に係る可搬式広告パネルは、請求項１に記載の可搬式広告パネルであり、前記係着具は雌雄一対の面ファスナーであって、前記広告シートおよび前記巻回シートの係着部は前記広告シートの着脱時以外において前記巻取軸に巻回されて前記巻回シートおよび該広告シートの間で挟持される、ことを特徴としている。
【考案の効果】
【０００９】
本考案は、上記構成により以下の効果を奏する。
（１）本考案は、巻取方向に回転するように付勢されている巻取軸に巻回シートを介して広告シートが巻回されるようになっているため、広告シートを巻取軸に巻回させて収納ボックスに収納することにより、簡単に持ち運びができる。
（２）広告シートは巻回シートに対して着脱自在になっているため、広告シートのみを代えることにより容易に広告内容を変えることができる。
（３）広告シートの先端縁部には先端バーが取着され、終端縁部には巻回シートを介して巻取軸が取着されているため、広告シートはその幅方向に緊張するので、縦方向の皺が寄ることがない。さらに、広告シートは巻取軸方向に付勢されているため、掛架バーが掛架されることにより、長さ方向にも緊張して広告シート自体の弛みや歪みが無くなる。
（４）収納ボックスの底部に取着される出没自在の自立用脚により、広告シートが自立するので、壁面が無くとも簡単に設置できる。
（５）係着具を雌雄一対の面ファスナーとすることにより、広告シートと巻回シートの着脱はワンタッチでできるので、広告シートの交換が容易である。また、広告シートを所定の位置で固定したときに、係着部が広告シートと巻回シートとの間で挟持されていない場合には上下方向に引張力が作用して面ファスナーに剥がれが生ずる場合があるが、広告シートの着脱時、すなわち、広告シートの交換時を除いて、係着部を広告シートと巻回シートとの間で常に挟持することとした場合には、係着部が広告シートおよび巻回シートにより押圧されるため、広告シートと巻回シートとの剥がれを防止することができる。
【図面の簡単な説明】
【００１０】
【図１】実施例に係る可搬式広告パネルを裏面から見た斜視図である。
【図２】図1におけるII−II矢視断面詳細図である。
【図３】広告シートおよび巻回シートの係着部に作用する力の説明図である。
【考案を実施するための形態】
【００１１】
本考案を実施するための形態に係る実施例について、図１および図２に基づいて説明する。なお、符号１は実施例に係る可搬式広告パネル、符号１１は巻取軸、符号１３は巻回シート、符号１５は広告シート、符号１７は先端バー、符号１９は係着部、符号１９１は雌型面ファスナー、符号１９３は雄型面ファスナー、符号２１は収納ボックス、符号２３は自立用脚、符号２５は係止ピン、符号２７は掛架バー、である。
【００１２】
実施例に係る可搬式広告パネル１は、主に、丸棒状の巻取軸１１と、巻取軸１１に巻回される撓曲自在の巻回シート１３と、巻回シート１３の先端縁部に係着部１９を介して連接する撓曲自在の広告シート１５と、広告シート１５の先端縁部に取着されて広告シート１５を幅方向に緊張させる先端バー１７と、巻回シート１３および広告シート１５を収納する筒状の収納ボックス２１と、収納ボックス２１および先端バー１７間に掛架される掛架バー２７と、から構成されている。
【００１３】
巻取軸１１は収納ボックス２１に収納されているとともに、収納ボックス２１に格納された図示外のバネにより巻回シート１３や広告シート１５を巻取る方向（図２では右回転方向）に回転するように付勢されている。すなわち、巻回シート１３を介して、広告シート１５は自動的に収納ボックス２１内に収納されるように付勢されている。
【００１４】
収納ボックス２１の底部に出没自在に取着されている自立用脚２３は、実施例では回動自在の細長い平板状を呈している。そして、可搬式広告パネル１の運搬時には、一対の自立用脚２３を回動させて自立用脚２３の長さ方向と収納ボックス２１長さ方向とを一致させることにより、自立用脚２３が収納ボックス２１から突出しないので運搬に支障をきたすことが無い。また、広告シート１５の展示状態においては、一対の自立用脚２３を回動させて自立用脚２３の長さ方向と収納ボックス２１長さ方向とを直交させることにより、壁面が無い場合でも簡単に可搬式広告パネル１を自立させて設置できる。
【００１５】
係止ピン２５は針金状のピンであって、収納ボックス２１の小口に貫設された貫入孔（図示外）から挿入することにより、巻取軸１１の回転が拘束されるようになっている。すなわち、巻取軸１１の小口には回転軸芯から外れた位置に挿入穴（図示外）が穿設されているが、この挿入穴に対応した位置に前記の貫入孔が貫設されていて、巻取軸１１の回転により、貫入孔と挿入穴の位置が一致したときに係止ピン２５を収納ボックス２１の貫入孔から挿入することにより、巻取軸１１の回転が拘束されるようになっている。
【００１６】
実施例に係る矩形の巻回シート１３は柔軟性に優れたポリ塩化ビニル製であって、その一端縁は巻取軸１１に固着され、他端縁には幅方向に沿って雌型面ファスナー１９１が固着されている。矩形の広告シート１５も、また、ポリ塩化ビニル製であって、その一端縁には幅方向に沿って雄型面ファスナー１９３が固着されていて、他端縁には前述したように、広告シート１５を幅方向に緊張させる先端バー１７が巻着されている。そして、巻回シート１３の雌型面ファスナー１９１と広告シート１５の雄型面ファスナー１９３とが係着して係着部１９が形成される。なお、広告シート１５の表面には広告としての画像がプリントされている。
【００１７】
そして、巻回シート１３と広告シート１５とを係着させて、広告シート１５を広告内容のすべてが可視し得る位置である展示位置まで収納ボックス２１から引き上げたとき、すなわち展示状態のときには、係着部１９は収納ボックス２１内において巻回シート１３および広告シート１５の間で挟持されるようになっている。
【００１８】
掛架バー２７は細い棒であって携帯に適するように折畳み可能となっている。そして、広告シート１５を展示位置まで収納ボックス２１から引き上げて、掛架バー２７の両端部のそれぞれを収納ボックス２１および先端バー１７に嵌合させて固着させると、広告シート１５は巻取軸１１方向に常に付勢されているため、長さ方向に緊張する。なお、広告シート１５は先端バー１７および巻取軸１１により幅方向にも緊張しているため、展示状態における広告シート１５自体には弛みや歪みが無くなる。
【００１９】
ここで、係着部１９が巻回シート１３および広告シート１５の間で挟持されることによる効果について、図３を基に説明する。図３は巻回シート１３および広告シート１５の間で挟持されていないときの状態を示す係着部１９の拡大断面図である。
【００２０】
可搬式広告パネル１を使用しているときには、巻回シート１３および広告シート１５には掛架バー２７により図３の矢印に示すように縦方向の緊張力が付与されている。すなわち、巻回シート１３および広告シート１５には引張力Ｆが作用し、この引張力Ｆは係着部１９にも作用する。係着部１９では、雌型面ファスナー１９１と雄型面ファスナー１９３により巻回シート１３と広告シート１５とが密着せず僅かに離間しているため、引張力Ｆは偶力となって係着部１９に作用する。係着部１９が巻回シート１３および広告シート１５の間で挟持されていない場合は、この偶力により巻回シート１３と広告シート１５とはそれぞれ断面から見て「く」の字状に折れ曲がった状態となり、引張力Ｆは係着部１９を引き剥がすように作用し、巻回シート１３および広告シート１５が時間の経過とともに引き剥がされる。一方で、係着部１９が巻回シート１３および広告シート１５の間で挟持されている場合は、係着部１９には左右方向から押圧力が働いて巻回シート１３と広告シート１５は「く」の字状に折れ曲がることなく、せん断力のみが作用するため、巻回シート１３と広告シート１５とが引き剥がされることはない。
【００２１】
つぎに、可搬式広告パネル１を使用するときの組立手順例を以下に示す。
（１）自立用脚２３を９０°回動させて収納ボックス２１に対して略直交するようし、収納ボックス２１を床に置く。
（２）収納ボックス２１から広告シート１５を展示位置まで引き出し、収納ボックス２１および先端バー１７間に掛架バー２７を掛架する。
（３）そして、可搬式広告パネル１を所望の位置に設置する。
以上の手順で可搬式広告パネル１が展示される。
【００２２】
可搬式広告パネル１の広告シートの取替え手順例は以下の通りである。
（１）収納ボックス２１から巻回シート１３の先端部、すなわち係着部１９が露出するまで広告シート１５を引き出し、その状態で係止ピン２５を収納ボックス２１の貫入孔から挿入して巻取軸１１の回転を拘束する。
（２）巻回シート１３から広告シート１５を剥し、新しい広告シート１５を巻回シート１３に係着部１９を介して係着させる。
係着作業は雌型面ファスナー１９１に雄型面ファスナー１９３を添わせて押圧するだけで良く、係着作業中は係止ピン２５により巻取軸１１の回転が拘束されているので、巻回シート１３が収納ボックス２１内に巻き取られることがなく、一人で広告シートの取替えを行なうことができる。
【符号の説明】
【００２３】
１  可搬式広告シートパネル
１１  巻取軸
１３  巻回シート
１５  広告シート
１７  先端バー
１９  係着部
２１  収納ボックス
２３  自立用脚
２７  掛架バー
【図１】
0003174100.tif 000003
【図２】
0003174100.tif 000004
【図３】
0003174100.tif 000005